(57)【特許請求の範囲】
【請求項１】
パワーコンディショナなどを構成する電子部品が収容されたケースの外側面に、電源を接続するための複数の入出力端子を端子台座片を介在させて設置する端子装着台を有して構成する端子台装置であって、前記端子装着台に前記入出力端子に対向して熱反応型の発泡材を設置し、前記端子装着台に対する前記入出力端子の接触不良により温度が所定温度に達した際に前記発泡材の体積を膨張させて、前記端子台座片に前記入出力端子を圧接させることによって、前記接触不良を解消させるように構成したことを特徴とする端子台装置。
【請求項２】
前記端子装着台に、前記入出力端子に離間対向するように発泡材設置部を形成し、該発泡材設置部に前記発泡材を設置することにより、該発泡材を前記入出力端子に対して対向設置したことを特徴とする請求項１に記載の端子台装置。
【請求項３】
前記端子装着台に発泡材収容室を形成すると共に、該発泡材収容室内に前記発泡材を収容設置し、前記端子台座片に対する前記入出力端子の接触不良により温度が上昇した際に、体積膨張した前記発泡材を前記入出力端子側に導出させるための挿通孔を前記端子装着台に形成して、前記挿通孔より温度上昇により体積膨張して導出した発泡材により前記端子台座片と前記入出力端子との接触不良を解消させるように構成したことを特徴とする請求項１に記載の端子台装置。
【請求項４】
前記端子装着台に発泡材収容室を形成して、該発泡材収容室内に前記発泡材を収容設置すると共に、前記端子台座片に切込部を形成して、前記発泡材の体積膨張によって前記端子台座片を折曲押圧して、前記入出力端子に圧接させることによって、前記接触不良を解消させるように構成したことを特徴とする請求項１に記載の端子台装置。
【発明の詳細な説明】
【技術分野】
【０００１】
本発明は、例えばパワーコンディショナなどを構成する電子部品が収容されたケースの外側面に、電源を接続するための複数の端子を端子装着台部に設置して構成する端子台装置に関する。
【背景技術】
【０００２】
近年、太陽光発電や燃料電池といった分散型電源と商用電源とを連系させ、分散型電源によっては家庭内の機器（負荷）に電力を供給し、もし分散型電源では電力が賄いきれない場合には、系統側からの電力を供給させる電力供給システムが、開発されている。このような電力供給システムにおいては、分散型電源から供給される電力が直流電力のために、パワーコンディショナを介在させて、当該直流電力を交流電力に変換して、家庭内の機器に電力を供給している。
【０００３】
このような電力変換装置としてのパワーコンディショナは、昇圧回路、インバータ回路或いはフィルタ回路、さらにはこれらを制御する演算装置など種々の電子部品を有して構成している。そして、これら種々の電子部品は、ケース内に収容されて構成しており、当該ケースの外側面には、直流電源を入力する電線を接続したり、交流電源を出力する電線を接続するために、端子台装置が設置されている。
【０００４】
この種の端子台装置は、パワーコンディショナを構成する電子部品などに電源を接続するために複数の入出力端子を端子台座片を介在させて端子装着台部に設置して構成している。そして、かかる端子装着台部は、通常棚状に形成され、各電子部品に電気的に接続している端子台座片に端子をそれぞれ載置して、端子を端子台座片と共にネジによって固定設置するようになっている（特許文献１及び２を参照）。
【先行技術文献】
【特許文献】
【０００５】
【特許文献１】特開平１１−２５０９６１号公報
【特許文献２】特開２００６−２６０８２９号公報
【発明の概要】
【発明が解決しようとする課題】
【０００６】
ところで、上記パワーコンディショナにおいては、太陽電池や燃料電池などの分散型電源から通常数十アンペア程度の電流が、入出力端子に流れている。このことから、もしも入出力端子が、施工不良等により、端子台座片に対して傾斜し隙間を有して取付けられることによって接触不良を起こした場合には、端子台座片に対する入出力端子の接触抵抗が大きくなって、かかる入出力端子の大きな接触抵抗部位から発熱し、周辺部品に影響を及ぼすことにもなりかねない。
【０００７】
そこで、この発明は、入出力端子がたとえ施工不良等を起こして端子台座片に対して傾斜することによって接触不良を起こした場合であっても、かかる接触不良によって発生した熱が所定温度に達したことによって、入出力端子と端子台座片との接触不良を解消させ、端子装着台の発熱による発火などを未然に防止することができるように構成した端子台装置を提供することを目的としている。
【課題を解決するための手段】
【０００８】
この発明に係る端子台装置は、パワーコンディショナなどを構成する電子部品が収容されたケースの外側面に、電源を接続するための複数の入出力端子を端子台座片を介在させて設置する端子装着台を有して構成する端子台装置であって、端子装着台に入出力端子に対向して熱反応型の発泡材を設置し、端子装着台に対する入出力端子の接触不良により上昇した温度が所定温度に達した際に発泡材の体積を膨張させて、端子台座片に入出力端子を圧接させることによって、接触不良を解消させるように構成したことを特徴とする。
【０００９】
この発明によれば、例えば施工不良等により、入出力端子が、端子台座片に傾斜状態となって端子装着台に装着されたような接触不良を起こして、接触抵抗が大きくなり端子装着台が所定温度まで発熱した場合には、かかる熱によって入出力端子に対向して端子装着台に設置された発泡材がその体積を膨張させることになる。この結果、この発明は、入出力端子を端子台座片側に押圧することにより圧接させることができ、端子台座片に対する入出力端子の接触不良を解消し所定の接触抵抗を確保して、端子装着台の発熱による発火などを未然に防止して、周辺電子部品を保護することができる。
【００１０】
そして、上記発明の一つの実施の形態においては、端子装着台に、入出力端子に離間対向するように発泡材設置部を形成し、発泡材設置部に発泡材を設置することにより、発泡材を入出力端子に対して対向設置している。
【００１１】
かかる構成によれば、発泡材設置部として、入出力端子がケースから外部に顕出するのをカバーする端子台カバーなどを利用して構成することにより、既存の端子台装置にも適用することができ、しかも、体積膨張した発泡材が、端子装着台に入出力端子を螺着しているネジの頭部を押圧することによって、当該ねじと電気的に接触している端子台座片に対する入出力端子の接触不良を解消し所定の接触抵抗を確保して、端子装着台の発熱による発火などを未然に防止して、周辺電子部品を保護することができる。
【００１２】
また、上記発明の一つの実施の形態は、端子装着台に発泡材収容室を形成すると共に、発泡材収容室内に発泡材を収容設置し、端子台座片に対する入出力端子の接触不良により温度が上昇した際に、体積膨張した発泡材を入出力端子側に導出させるための挿通孔を端子装着台に形成して、挿通孔より温度上昇により体積膨張して導出した発泡材により端子台座片と入出力端子との接触不良を解消させるように構成している。
【００１３】
この発明によれば、例えば施工不良等により、入出力端子が、端子台座片に傾斜状態となって端子装着台に装着されたような接触不良を起こしている場合に、接触抵抗が大きくなって端子装着台が発熱し、かかる熱が所定温度に達した場合には、発泡材収容室に収容された発泡材がその体積を膨張させることになる。この結果、発泡材は、端子装着台に形成した挿通孔より入出力端子側に導出して、入出力端子を端子台座片側に押し付けて、端子台座片と入出力端子との接触不良を解消させて入出力端子の所定接触抵抗を確保して、端子装着台の発熱による発火などを未然に防止して、周辺電子部品を保護することができる。
【００１４】
また、上記発明の一つの実施の形態は、端子装着台に発泡材収容室を形成して、発泡材収容室内に発泡材を収容設置すると共に、端子台座片に切込部を形成して、発泡材の体積膨張によって端子台座片を折曲押圧して、入出力端子に圧接させることによって、接触不良を解消させるように構成している。
【００１５】
かかる構成によれば、例えば施工不良等により、入出力端子が、端子台座片に傾斜状態となって端子装着台に装着されたような接触不良を起こして、接触抵抗が大きくなり端子装着台が発熱したような場合には、かかる熱が所定温度に達した際に入出力端子に対向して端子装着台に設置された発泡材がその体積を膨張させることになる。この結果、発泡材は、端子台座片を切込部から折曲押圧して入出力端子に圧接させることができことになって、端子台座片に対する入出力端子の接触不良を解消し所定の接触抵抗を確保して、端子装着台の発熱による発火などを未然に防止して、周辺電子部品を保護することができる。
【発明の効果】
【００１６】
上記のように構成するこの発明は、例えば施工不良等により、入出力端子が、端子台座片に傾斜状態となって端子装着台に装着されたような接触不良を起こして接触抵抗が大きくなり、端子装着台が発熱したような場合には、かかる熱が所定温度に達した際に発泡材がその体積を膨張させることによって、端子台座片に対する入出力端子の接触不良を解消し所定の接触抵抗を確保し、端子装着台の発熱による発火などを未然に防止して、周辺電子部品を保護することができる。
【図面の簡単な説明】
【００１７】
【図１】本発明の実施例１を採用した端子台装置について入出力端子の一部構成を省略して描画した斜視図である。
【図２】図１における端子台装置において入出力端子が正常に装着された状態における要部を拡大して描画した断面図である。
【図３】図１における端子台装置において入出力端子が施工不良等により不正常に装着された状態における要部を拡大して描画した要部断面図である。
【図４】図３に示す状態から、発泡材が端子台座片の発熱により膨張して入出力端子との接触不良を解消した状態を描画した要部断面図である。
【図５】本発明の実施例２を採用した端子台装置の図２と同様な要部断面図である。
【図６】本発明の実施例３を採用した端子台装置の図２と同様な要部断面図である。
【図７】図６に示す実施例３において、発泡材が端子台座片の発熱により膨張して入出力端子との接触不良を解消した状態を描画した要部断面図である。
【発明を実施するための形態】
【００１８】
この発明における実施例は、入出力端子がたとえ施工不良等を起こして端子台座片に対して傾斜することによって接触不良を起こしたような場合であっても、かかる接触不良によって発生した熱が所定温度に達したことによって、入出力端子と端子台座片との接触不良を解消させるように構成している。
【実施例１】
【００１９】
次に、本発明に係る実施例の１について、図１及び図２を用いて説明する。この発明の実施例１における端子台装置１は、例えばパワーコンディショナを構成する昇圧回路、インバータ回路或いはフィルタ回路、さらにはこれらを制御する演算装置など種々の電子部品を収容したケース１１の外側面に設置されている。そして、端子台装置１は、合成樹脂を型成形することによって絶縁体として構成しており、上下２段の端子装着台２、２を有している。
【００２０】
各端子装着台２、２には、パワーコンディショナ側の電子部品に電気的に接続している導電性の端子台座片３、３・・・を介在させた状態で、例えば圧着端子である入出力端子４、４、・・・がワッシャー５ａを介在させてネジ５を螺着することによって設置されている。各入出力端子４、４、・・・は、端子装着台２、２に形成した隔壁部６、６、・・・によって仕切られている。
【００２１】
さらに、各端子装着台２、２は、上面及び前面側が開口しており、かかる開口２ａ、２ａのうち上面側及び前面側の一部は、開閉可能且つ螺子７ａ、７ａにより取着された端子カバー７、７によりそれぞれ閉成されるようになっている。端子カバー７、７における入出力端子４、４、・・・に対向する内側面は、熱反応型の発泡材８、８、・・・を設置する発泡材設置部９に構成されている。従って、発泡材８、８、・・・は、発泡材設置部９に耐熱性の接着剤などを使用して設置され、各入出力端子４、４、・・・に対向設置されていることになる。
【００２２】
上記のように構成する実施例１においては、例えば、施工不良等により、入出力端子４、４、・・・が、図３に示すように、端子台座片３、３、・・・に傾斜状態となって端子装着台２、２に装着されたような接触不良を起こして、接触抵抗が大きくなり端子装着台２、２が発熱したような場合には、かかる熱が所定温度にたしたことによって入出力端子に対向して端子装着台に設置された発泡材８、８、・・・がその体積を膨張させることになる。上記所定温度とは、端子装着台２、２が入出力端子４、４、・・・の発熱によって発生した熱によって発火するまでに至らない限界温度をいう。
【００２３】
この結果、発泡材８、８、・・・を設置した端子カバー７が当該発泡材８、８、・・・が体積膨張したとして開口２ａの閉成状態を保持することによって、体積膨張した発泡材８、８、・・・は、各入出力端子４、４、・・・及び端子台座片３、３、・・・を正常位置になるよう押圧しながら、端子台座片３、３、・・・と入出力端子４、４、・・・とを電気的に圧接させて（図４に示す状態を参照）、端子台座片３、３、・・・に対する入出力端子４、４、・・・・の接触不良を解消し所定の接触抵抗を確保して、端子装着台２、２の発熱による発火などを未然に防止することができる。
【００２４】
なお、上記実施例１においては、発泡材設置部９を端子カバー７を利用して構成するようにしたが、これに限定されるものではなく、例えば、端子装着台３の奥壁に棚状突起部を一体に形成して、かかる棚状突起部が発泡材設置部９を構成するようにしてもよい。
【００２５】
次に、図４及び図５を用いて、本発明に係る他の実施例を説明する。
【実施例２】
【００２６】
図５は、この発明に係る実施例２を示している。図５に示す実施例２は、相隣り合う一対の入出力端子４、４同士を対として電気的に接続するように構成したタイプの実施例であり、端子装着台２、２に発泡材設置部としての発泡材収容室９ａを形成すると共に、発泡材収容室９ａ内に熱反応型の発泡材８を収容設置すると共に、端子台座片３に対する入出力端子４の接触不良により温度が上昇した際に、体積膨張した発泡材８を入出力端子４側に導出させるための挿通孔２ａを端子装着台２に形成して、挿通孔２ａより温度上昇により体積膨張した発泡材８により入出力端子４を端子台座片３側に持ち上げて押し付け、両者の接触不良を解消させるように構成している。その他の構成は、上記実施例１と同様である。
【００２７】
このように構成する本発明の実施例２によれば、例えば施工不良等により、入出力端子４が、端子台座片３に傾斜状態となって端子装着台２に装着されたような接触不良を起こして、接触抵抗が大きくなり端子装着台２が発熱した場合には、かかる熱が所定温度に達した際に発泡材収容室９ａに収容された発泡材８がその体積を膨張させることになる。この結果、発泡材８は、端子装着台座２に形成した挿通孔２ａより入出力端子４側に導出して、入出力端子４を端子台座片３側に押し付けて、端子台座片３と入出力端子４とを電気的に接触して、両者の接触不良を解消させて入出力端子４の所定接触抵抗を確保して、端子装着台２の発熱による発火などを未然に防止することができる。
【実施例３】
【００２８】
図５は、この発明に係る実施例３を示している。図５によれば、端子装着台２に発泡材設置部としての発泡材収容室９ａを形成して、発泡材収容室９ａ内に熱反応型の発泡材８を収容設置すると共に、端子台座片３に発泡材８から入出力端子４側に延在する切込部３ａを形成して、発泡材８の体積膨張によって端子台座片３を折曲させて入出力端子４に押圧し、端子台座片３を入出力端子４に圧接させるように構成することによって、接触不良を解消させるように構成している。その他の構成は、上記実施例１と同様である。
【００２９】
かかる実施例３の構成によれば、例えば施工不良等により、入出力端子４が、端子台座片３に傾斜状態となって端子装着台２に装着されたような接触不良を起こして、接触抵抗が大きくなり端子装着台２が発熱した場合には、図７に示すように、かかる熱によって入出力端子４に対向して端子装着台２の発泡材収容室９ａ内に設置された発泡材８がその体積を膨張させることになる。この結果、発泡材８は、端子台座片３を切込部３ａから折曲することになって入出力端子４側に押圧させて、端子台座片３と入出力端子４とを圧接させることができ、端子台座片３に対する入出力端子４の接触不良を解消し所定の接触抵抗を確保して、端子装着台２の発熱による発火などを未然に防止することができる。
【００３０】
なお、上記いずれの実施例は、この発明に係る端子台装置１をパワーコンディショナに用いる場合として説明したが、この発明は、これに限定されるものではなく、その他の電源装置に係る端子台装置にも適用できるものである。  
【産業上の利用可能性】
【００３１】
以上説明したように、この発明は、入出力端子がたとえ施工不良等を起こして端子台座片に対して傾斜することによって接触不良を起こした場合であっても、かかる接触不良によって発生した熱が所定温度に達したことによって発泡材を膨張させて、入出力端子と端子台座片との接触不良を解消させ、端子装着台の発熱による発火などを未然に防止ることができるので、例えばパワーコンディショナなどを構成する電子部品が収容されたケースの外側面に、電源を接続するための複数の端子を端子台座片を介在させて設置する端子装着台を有して構成する端子台装置造等に好適である。
【符号の説明】
【００３２】
１    端子台装置
２    端子装着台
２ａ  挿通孔
３    端子台座片
４    入出力端子
４ｂ  切込部
５    ネジ
８    発泡材
９  発泡材設置部
９ａ  発泡材収容室（発泡材設置部）
１１  ケース
【図１】
0005136634.tif 000002
【図２】
0005136634.tif 000003
【図３】
0005136634.tif 000004
【図４】
0005136634.tif 000005
【図５】
0005136634.tif 000006
【図６】
0005136634.tif 000007
【図７】
0005136634.tif 000008